(57)【要約】      （修正有）【課題】使用状況の変化に応じて複写機能を選択的に追加可能な画像形成装置を提供する。【解決手段】画像形成装置１は、スキャナー装置３と、スキャナー装置３が装着される画像形成装置本体２とを備えている。スキャナー装置３は、互いに対向する面に原稿供給口３１a及び原稿排出口３１ｂを有していて、該原稿供給口３１ａから供給される原稿の画像を読取って原稿排出口３１ｂから該原稿を排出する。スキャナー装置３は、画像形成装置本体２ａの上面に着脱可能に装着される。画像形成装置本体２の上面２ａは、スキャナー装置３の使用時には原稿をガイドするガイド面として機能する。【選択図】図１
2020166261.tif 000002
【特許請求の範囲】
【請求項１】
互いに対向する面に原稿供給口及び原稿排出口を有していて、該原稿供給口から供給される原稿の画像を読取って上記原稿排出口から該原稿を排出するスキャナー装置と、
上記スキャナー装置が装着される画像形成装置本体とを備え、
上記スキャナー装置は、上記画像形成装置本体の上面に着脱可能に装着され、
上記画像形成装置本体の上面は、上記スキャナー装置の使用時には上記原稿をガイドするガイド面として機能する、画像形成装置。
【請求項２】
請求項１記載の画像形成装置において、
上記スキャナー装置は、上記画像形成装置本体の上面に装着された状態で、該上面に沿って所定方向にスライド移動可能に構成されている、画像形成装置。
【請求項３】
請求項２記載の画像形成装置において、
上記画像形成装置本体の底面と上面とを接続する一の側面には、印刷用の用紙を給紙するための用紙供給口と、該用紙供給口に供給する用紙が載置される給紙トレイとが設けられ、
上記スキャナー装置は、上記画像形成装置本体の上面における上記給紙トレイ側の端部と、該給紙トレイ側とは反対側の端部との間でスライド移動可能に構成されている、画像形成装置。
【請求項４】
請求項１記載の画像形成装置において、
上記スキャナー装置は、上記画像形成装置本体の上面に装着された状態で、該上面に垂直な軸線回りに回転可能に構成されている、画像形成装置。
【請求項５】
請求項４記載の画像形成装置において、
上記画像形成装置本体の底面と上面とを接続する一の側面には、印刷用の用紙を給紙するための用紙供給口と、該用紙供給口に供給する用紙が載置される給紙トレイとが設けられ、
上記スキャナー装置は、平面視において、上記画像形成装置本体の上面における上記給紙トレイ側の端縁に平行な位置と、該端縁に直交する位置との間で回転可能に構成されている、画像形成装置。
【請求項６】
請求項１記載の画像形成装置において、
上記画像形成装置本体の上面は、上記スキャナー装置が装着されるスキャナー装着面部と、上記スキャナー装置の上記原稿排出口から排出された原稿が排出される原稿排出面部とを有し、
上記スキャナー装着面部は上記原稿排出面部よりも所定量だけ低い位置に形成されている、画像形成装置。
【請求項７】
請求項６記載の画像形成装置において、
上記スキャナー装置の上記原稿排出口の下端位置が、上記原稿排出面部以上の高さであって該原稿排出面部と同等の高さに位置するように設定されている、画像形成装置。
【請求項８】
請求項１記載の画像形成装置において、
上記画像形成装置本体の上面は、上記スキャナー装置が装着されるスキャナー装着面部と、上記スキャナー装置の原稿供給口に供給する原稿が載置される原稿給紙面部とを有し、
上記スキャナー装着面部は上記原稿給紙面部よりも所定量だけ低い位置に形成され、
上記所定量は、上記原稿給紙面部の高さが原稿供給口の上端縁の高さ以下で且つ下端縁の高さ以上になるように設定されている、画像形成装置。
【請求項９】
請求項８記載の画像形成装置において、
上記スキャナー装着面部は、上記画像形成装置本体の上面の端部に設けられ、
上記画像形成装置本体の上記端部側の側面には、上記スキャナー装置の上記原稿排出口から排出された原稿を受け止める排出トレイが設けられている、画像形成装置。
【請求項１０】
請求項１乃至９のいずれか一項に記載の画像形成装置において、
上記スキャナー装置は、上記画像形成装置本体の上面にオプション装置として後付けで装着可能に構成されている、画像形成装置。
【発明の詳細な説明】
【技術分野】
【０００１】
本発明は、画像形成装置に関する。
【背景技術】
【０００２】
従来より、持運び可能な小型のスキャナー装置が知られている（例えば、特許文献１参照）。このスキャナー装置は、装置本体と、装置本体の上面に取付けられた読取ユニットとを有していて、両者の間に原稿を通過させることで原稿画像を読み取るように構成されている。
【０００３】
読取ユニットは、原稿画像を読取るコンタクトイメージセンサーと、該イメージセンサーを上側から覆う筐体とを有していて、装置本体の上面に取付けられている。筐体内におけるコンタクトイメージセンサーの搬送下流側には、用紙を搬送するためのピンチローラーが収容されている。装置本体は、ピンチローラーに対向して配置された用紙搬送ローラーと、用紙搬送ローラーにギア列を介して連結されたモーターとを有している。
【先行技術文献】
【特許文献】
【０００４】
【特許文献１】特開２００１−２４５１１７号公報
【発明の概要】
【発明が解決しようとする課題】
【０００５】
ところで、家庭用の画像形成装置等の開発においては、低コスト化及び省スペース化の観点から多機能化を図らずに例えば印刷機能のみを持たせる場合がある。このような画像形成装置を使用する中で、使用用途が変化して複写機能が必要となった場合に、従来の画像形成装置ではこれを廃棄して複写機能付きの画像形成装置を新たに購入する必要があった。画像形成装置を新たなに購入した場合、ユーザーのコスト負担は著しく増加してしまう。
【０００６】
本発明は、かかる点に鑑みてなされたものであり、その目的とするところは、使用状況の変化に応じて複写機能を選択的に追加可能な画像形成装置を提供することにある。
【課題を解決するための手段】
【０００７】
本発明の一局面に係る画像形成装置は、互いに対向する面に原稿供給口及び原稿排出口を有していて、該原稿供給口から供給される原稿の画像を読取って上記原稿排出口から該原稿を排出するスキャナー装置と、上記スキャナー装置が装着される画像形成装置本体とを備え、上記スキャナー装置は、上記画像形成装置本体の上面に着脱可能に装着され、上記画像形成装置本体の上面は、上記スキャナー装置の使用時には上記原稿をガイドするガイド面として機能する。
【発明の効果】
【０００８】
本発明によれば、使用状況の変化に応じて複写機能を選択的に追加可能な画像形成装置が提供される。
【図面の簡単な説明】
【０００９】
【図１】図１は、実施形態におけるスキャナー装置が装着された画像形成装置を示す概略構成図である。
【図２】図２は、画像形成装置を前側の右側寄りから見た外観斜視図である。
【図３】図３は、画像形成装置を後側の左側寄りから見た外観斜視図である。
【図４】図４は、スキャナー装置を画像形成装置本体の左側端部から右側端部にスライド移動させた状態を示す図２相当図である。
【図５Ａ】図５Ａは、スキャナー装置の内部構造を示す縦断面図である。
【図５Ｂ】図５Ｂは、スキャナー装置の制御ブロック図である。
【図６】図６は、図２のＶＩ−ＶＩ線断面図である。
【図７】図７は、図６に示されたスライダーを上側から見た平面図である。
【図８】図８は、実施形態２を示す図４相当図である。
【図９】図９は、図８のＩＸ−ＩＸ線断面図である。
【図１０】図１０は、実施形態３を示す図１相当図である。
【図１１】図１１は、画像形成装置を示す前方斜め右側から見た斜視図である。
【図１２】図１２は、画像形成装置を示す後方斜め左側から見た斜視図である。
【図１３】図１３は、スキャナーハウジングの内部構造を示す拡大図である。
【図１４】図１４は、実施形態４を示す図１相当図である。
【発明を実施するための形態】
【００１０】
以下、本発明の実施形態を図面に基づいて詳細に説明する。尚、本発明は、以下の実施形態に限定されるものではない。
【００１１】
《実施形態１》
［全体構成］
図１は、本実施形態における画像形成装置１の概略構成を示す断面図である。この画像形成装置１は、画像形成装置本体２と、画像形成装置本体２に対してオプション装置として着脱可能に装着されるスキャナー装置３とを有している。
【００１２】
画像形成装置本体２は、手差し給紙部４と、画像形成部５と、定着部６と、排紙部７とを備えている。画像形成装置本体２は、該本体２内の搬送路Ｌに沿って用紙を搬送しながら、所定の画像データに基づいて用紙に画像を形成するように構成されている。この画像データは、スキャナー装置３によって読取った原稿画像データ又はパソコン等の不図示の端末等から送信されるデータにより構成される。
【００１３】
手差し給紙部４は、画像形成装置本体２の左側面（底面と上面２ａとを接続する一の側面）に開口する用紙供給口４１と、用紙供給口４１に装着された給紙トレイ４２と、給紙トレイ４２の下端部に隣接して配置されたピックアップローラー４３と、ピックアップローラー４３の右側に設けられた給紙ローラー対４４とを有している。
【００１４】
給紙トレイ４２は、印刷用用紙をセットするためのトレイであって固定トレイ部４２ａ（図２参照）と伸縮トレイ部４２ｂとを有している。伸縮トレイ部４２ｂは、用紙のサイズが大きい場合に固定トレイ部４２ａから上方に引き出して使用される。伸縮トレイ部４２ｂを最大限に伸ばした状態では伸縮トレイ部４２ｂがスキャナー装置３の側方に位置することとなる。ピックアップローラー４３は、給紙トレイ４２にセットされた用紙を搬送路Ｌ内に送り出す。給紙ローラー対４４は、ピックアップローラー４３より送り出された用紙を挟持搬送して画像形成部５に供給する。
【００１５】
画像形成部５は、給紙ローラー対４４の右側に設けられている。画像形成部５は、画像形成装置本体２内に回転可能に設けられた像担持体である感光体ドラム５１を有している。感光体ドラム５１の周囲には、帯電器５２と、現像部５３と、転写ローラー５４とが配置されている。また、感光体ドラム５１の上方には光走査装置５６が配置されている。光走査装置５６は、不図示の光源から出射されたレーザー光を偏向走査させるポリゴンミラー５６ａと、偏向走査された光ビームを感光体ドラム５１の表面に向けて反射する折返しミラー５６ｂとを有している。そして、画像形成部５は、後述するように手差し給紙部４から供給された用紙に画像を形成する。
【００１６】
定着部６は、画像形成部５の右側に配置されている。定着部６は、互いに圧接されて回転する定着ローラー６１及び加圧ローラー６２を有している。そして、定着部６は、画像形成部５で用紙に転写されたトナー像を当該用紙に定着させるように構成されている。
【００１７】
排紙部７は、画像形成装置本体２の右側面に形成された用紙排出口７ａと、定着部６を通過した用紙を用紙排出口７ａに導く案内面７ｂと、案内面７ｂの右側に設けられて用紙を用紙排出口７ａから排出する排出ローラー対７ｃとを有している。
【００１８】
次に上記画像形成装置１における画像形成動作の概略を説明する。画像形成装置１が画像データを受信すると、画像形成部５において、感光体ドラム５１が回転駆動されるとともに、帯電器５２が感光体ドラム５１の表面を帯電させる。そして、帯電された感光体ドラム５１の表面には、光走査装置５６より画像データに基づくレーザー光が照射される。
【００１９】
これにより、画像データに対応する静電潜像が感光体ドラム５１の表面に形成される。感光体ドラム５１の表面に形成された静電潜像は、現像部５３にて帯電されたトナーにより現像されてトナー像として可視化される。このトナー像は、用紙が転写ローラー５４と感光体ドラム５１との間を通過する際に、転写ローラー５４に印加されたトナーと逆極性の転写バイアスにより用紙側に移動する。これにより、感光体ドラム５１上のトナー像が用紙に転写される。トナー像が転写された用紙は、定着部６において定着ローラー６１と加圧ローラー６２とにより加熱及び加圧される。その結果、トナー像が用紙に定着する。トナー像が定着した用紙は定着ローラー６１及び加圧ローラー６２により下流側に送り出されて用紙排出口７ａから画像形成装置本体２外に排出される。
【００２０】
［スキャナー装置の構成］
図２及び図３に示すように、スキャナー装置３は画像形成装置本体２の上面２ａにオプション装置として後付けで装着される。スキャナー装置３は、画像形成装置本体２の前後方向の全体に亘って延びる矩形箱状のスキャナーハウジング３１を有している。スキャナーハウジング３１は、画像形成装置本体２の上面を左右方向にスライド移動可能に構成されている。図４は、図２に示す状態からスキャナー装置３を画像形成装置本体２の上面２ａの右側端部までスライド移動させた状態を示している。スキャナー装置３のスライド機構の詳細は後述する。
【００２１】
スキャナーハウジング３１の左側面には原稿供給口３１ａが形成され、右側面には原稿排出口３１ｂが形成されている。原稿供給口３１ａ及び原稿排出口３１ｂは、前後方向に延びて原稿を受け入れ可能な矩形状のスリット開口からなる。
【００２２】
図５Ａは、スキャナーハウジング３１の内部構造を示している。
【００２３】
スキャナーハウジング３１内には、コンタクトイメージセンサー（Ｃｏｎｔａｃｔ  Ｉｍａｇｅ  Ｓｅｎｓｏｒ。以下、単にＣＩＳセンサーという）３２が収容されている。ＣＩＳセンサー３２は、主走査方向（前後方向）に配列された多数の受光素子を含む受光素子列３２ａと、不図示の光源と、これらの光学要素を収容するセンサー筐体３２ｂとを有している。センサー筐体３２ｂは下側に開放するケース状部材である。センサー筐体３２ｂの開放部は透明板３２ｃにより覆われている。
【００２４】
スキャナーハウジング３１内における透明板３２ｃに対向する箇所にはガイド部材３５が配置されている。ガイド部材３５は前後方向に延びる断面コ字状部材からなる。ガイド部材３５の水平板３５ａは、ＣＩＳセンサー３２の透明板３２ｃに対して僅かな隙間を持って対向配置されており、この隙間を原稿が通過する際にＣＩＳセンサー３２により原稿画像の読取りが実行される。
【００２５】
スキャナーハウジング３１内におけるガイド部材３５の左右両側にはそれぞれ、給紙ローラー対３３及び排紙ローラー対３４が配置されている。給紙ローラー対３３及び排紙ローラー対３４は、スキャナーハウジング３１内に収容されたモーター７１により駆動されて原稿を挟持搬送する。給紙ローラー対３３は、ニップ部が原稿供給口３１ａに対向するように配置されている。排紙ローラー対３４は、ニップ部が原稿排出口３１ｂに対向するように配置されている。
【００２６】
スキャナーハウジング３１内にはさらにコントローラー７０（図５Ｂにのみ示す）が収容されている。コントローラー７０は、ＣＰＵ，ＲＯＭ及びＲＡＭを有するマイクロコンピューターからなる。
【００２７】
コントローラー７０は、図５Ｂに示すように、上記ＣＩＳセンサー３２、モーター７１、原稿検知センサー７２、通信部７３、及びバッテリー７４に接続されている。
【００２８】
モーター７１は、コントローラー７０からの指令を受けて、給紙ローラー対３３及び排紙ローラー対３４を駆動する。原稿検知センサー７２は、給紙ローラー対３３のニップ部の上流側において搬送路の原稿の有無を検知すると共にその検知信号をコントローラー７０に送信する。通信部７３は、コントローラー７０からの指令を受けて、スキャナー装置３により読取った原稿の画像データを画像形成装置１に送信する。バッテリー７４は、コントローラー７０、モーター７１、原稿検知センサー７２、及び通信部７３に電力を供給する。
【００２９】
スキャナー装置３は、バッテリー７４による電源供給を行うオン状態と電源供給を遮断するオフ状態とを切替えるための電源ボタン３７（図２参照）を有している。電源ボタン３７は、スキャナー装置３の外装面（スキャナーハウジング３１の上面）の後端部から露出していてユーザーが指で押圧可能になっている。
【００３０】
尚、上記バッテリー７４を廃止して、画像形成装置本体２の電源をスキャナー装置３の電源として兼用してもよい。この場合、画像形成装置本体２の電源から延びる配線をスキャナー装置３に接続し、画像形成装置１の電源ボタン（図示省略）のオン・オフ操作に連動してスキャナー装置３のオン・オフが切り替わるようにすればよい。
【００３１】
［スキャナー装置の原稿読取動作］    
スキャナー装置３により原稿画像を読取る際には、スキャナー装置３の電源がオンされた待機状態において、ユーザーが給紙ローラー対３３のニップ部に原稿をセットする。そうすると、原稿検知センサー７２がオン状態（原稿有りを検知した状態）になる。コントローラー７０では、このオン状態が所定時間（例えば２〜３秒）持続すると、給紙ローラー対３３及び排紙ローラー対３４の回転駆動を開始する。
【００３２】
尚、スキャナー装置３の外装面にスタートキー（図示省略）を配置し、原稿検知センサー７２がオン状態にあるときにコントローラー７０がスタートキーの操作を検知したときに、給紙ローラー対３３及び排紙ローラー対３４の回転駆動を開始してもよい。
【００３３】
給紙ローラー対３３及び排紙ローラー対３４の回転により原稿がＣＩＳセンサー３２を通過する際に、ＣＩＳセンサー３２より原稿の表面画像が読み取られる。コントローラー７０では、ＣＩＳセンサー３２により読取った表面画像を解析して画像データを生成し、生成した画像データを通信部７３から画像形成装置本体２内のコントローラー１０（図２参照）に送信する。画像形成装置本体２内のコントローラー１０では、スキャナー装置３のコントローラー７０から送信された画像データに基づいて用紙に対して画像形成処理を実行する。尚、画像データは、画像形成装置本体２に設けられた記憶媒体に記憶したり、通信ネットワークを介して画像形成装置本体２に接続された外部装置に送信したりしてもよい。
【００３４】
コントローラー７０は、原稿検知センサー７２がオン状態からオフ状態（原稿無しを検知した状態）に切替わった後、所定時間（原稿の後端が原稿検知センサー７２の直下を通過した後、排紙ローラー対３４を通過するまでの予測時間）が経過した後、所定のタイミングで給紙ローラー対３３と排紙ローラー対３４の回転駆動を停止し、スキャナー装置３を画像読取り状態から待機状態に切替える。尚、コントローラー７０は、ＣＩＳセンサー３２からの画像信号を基に原稿の後端がＣＩＳセンサー３２を通過したことを検知して給紙ローラー対３３及び排紙ローラー対３４の回転駆動の停止タイミングを制御してもよい。
【００３５】
尚、後述する実施形態４（図１４参照）に示すように、画像形成装置本体１０２の上面（原稿給紙面部１０２ｄ）が原稿供給口１３１ａに接続する構成では、ＣＩＳセンサー１３２を通過した原稿が排紙ローラー対１３４のニップ部を通過する前に原稿の搬送を停止し、モーター７１の逆回転により原稿をスイッチバックさせて画像形成装置本体２の上面（原稿給紙面部１０２ｄ）に排出させてもよい。
【００３６】
［スキャナー装置の動作不良の検知］
コントローラー７０は、給紙ローラー対３３及び排紙ローラー対３４の回転駆動を開始した後、上記所定時間が経過しても、上記原稿検知センサー７２又はＣＩＳセンサー３２によって、原稿がＣＩＳセンサー３２を通過したことが検知できない場合には、スキャナー装置３の動作不良と判断して給紙ローラー対３３及び排紙ローラー対３４の回転駆動を停止するように構成されている。
【００３７】
ここで、ＣＩＳセンサー３２は原稿の表面画像から原稿の搬送状態（例えば移動速度）も検知可能である。このことを利用して、コントローラー７０は、例えば原稿の搬送速度が所定速度以下である場合に、スキャナー装置３の動作不良と判断して給紙ローラー対３３及び排紙ローラー対３４の回転駆動を停止するように構成されていてもよい。
尚、上述したスタートキーを設ける構成を採用した場合、コントローラー７０にてスタートキーの押圧信号を検知した時から所定時間経過した時にＣＩＳセンサー３２による読取動作を開始するようにしてもよい。  
【００３８】
次に、図６及び図７を参照して、スキャナー装置３のスライド構造を説明する。スキャナー装置３は、画像形成装置本体２の上面部にて左右方向に移動可能なスライダー８に固定されている。スキャナー装置３とスライダー８との間には固定用部材９が設けられている。固定用部材９は、例えば両面テープやマグネットにより構成されていてスキャナー装置３をスライダー８に固定する。
【００３９】
スライダー８は、画像形成装置本体２の上面部に形成されたレール溝２ｂ（図２等参照）内に配置されている。スライダー８は、矩形板状のスライダー本体８ａと一対の係合突部８ｂとを有している。各係合突部８ｂは、スライダー本体８ａの幅方向の両端面の厚さ方向の中央部から突出している。
【００４０】
レール溝２ｂは、画像形成装置本体２の上面２ａの前後方向の中央部にて左右方向に直線状に延びている。レール溝２ｂは、スライダー８のスライダー本体８ａを受け入れる溝本体部２ｃと、溝本体部２ｃの幅方向の両側面に凹状に形成されて上記一対の係合突部８ｂと係合する係合溝２ｄとを有している。そして一対の係合突部８ｂがそれぞれ係合溝２ｄに係合することでスライダー８がレール溝２ｂから上側に外れないようになっている。
【００４１】
スキャナー装置３をスライダー８に後付けて固定する際には、スライダー本体８ａの上面に固定用部材９を取り付けた後、スキャナーハウジング３１の下面を固定用部材９に当接させて固定すればよい。スキャナー装置３は、スライダー８がレール溝２ｂ内をスライド移動することにより画像形成装置本体２の上面２ａの左側端部と右側端部との間を移動可能になっている。換言すると、スキャナー装置３は、画像形成装置本体２の上面２ａにおける給紙トレイ４２側の端部と該給紙トレイ４２側とは反対側の端部との間で移動可能になっている。
【００４２】
スキャナー装置３をスライダー８に装着して左右方向にスライドさせる際には、スキャナー装置３と画像形成装置本体２とを繋ぐ配線１１（図２参照）をスキャナー装置３の移動に追従させる必要がある。そこで、本実施形態では、画像形成装置本体２の天板に左右方向に延びる開口部２ｈを形成して、配線１１がこの開口部２ｈ内にて左右方向に移動できるようにしている。
【００４３】
配線１１は例えばＵＳＢケーブルにより構成されている。配線１１の一端は画像形成装置本体２内のコントローラー１０に接続されている。配線１１の他端には通信用コネクタ１１ａが設けられている。この通信用コネクタ１１ａは、スキャナー装置３の下面に設けられた差込み口（図示省略）に着脱自在に接続される。そして、スキャナー装置３は、差
込み口に接続されたＵＳＢケーブルを介して、画像形成装置本体２内のコントローラー１０に原稿画像データを送信する。尚、通信用コネクタの規格はＵＳＢ規格に限ったものではない。
【００４４】
［実施形態１の作用効果］
以上説明したように本実施形態１では、上記スキャナー装置３は、画像形成装置本体２の上面２ａに着脱可能に装着され、画像形成装置本体２の上面２ａは、スキャナー装置３の使用時には原稿をガイドするガイド面として機能する。
この構成によれば、例えば印刷機能のみを有する画像形成装置１において、使用用途の変化に応じて、スキャナー装置３を後付けで追加装着するだけで複写機能を追加することができる。よって、新たなに複写機を購入する場合に比べてコストを低減することができる。
【００４５】
また、スキャナー装置３は、画像形成装置本体２の上面２ａに装着された状態で、該上面２ａに沿って左右方向（所定方向の一例）にスライド移動可能に構成されている。
【００４６】
このようにスキャナー装置３を画像形成装置本体２に対して固定せずに左右方向にスライド移動可能にすることで、スキャナー装置３をユーザーが望む位置に移動させることができる。したがって、例えばスキャナー装置３が周辺部材（ＯＡ機器や棚等）と干渉する虞がある場合には、スキャナー装置３を周辺部材と干渉しない位置に移動させて画像形成装置本体２を所望の位置に配置することができる。よって、画像形成装置本体２に装着したスキャナー装置３によって画像形成装置１の配置自由度が制限されるのを防止することができる。
【００４７】
また、スキャナー装置３は、画像形成装置本体２の上面における給紙トレイ４２側の端部と、該給紙トレイ４２側とは反対側の端部との間でスライド移動可能に構成されている。
【００４８】
この構成によれば、給紙トレイ４２に用紙をセットする際にスキャナー装置３を給紙トレイ４２側とは反対側に移動させることで、スキャナー装置３をユーザーの作業の邪魔にならない位置に移動させることができる。特に、大サイズの用紙を給紙トレイ４２にセットする際には、伸縮トレイ部４２ｂがユーザーの作業の邪魔になり易いので本構成が特に有用である。
【００４９】
また、本実施形態では、スキャナー装置３は画像形成装置本体２に対してオプション装置として装着可能になっている。
【００５０】
これによれば、例えば印刷機能のみを有する画像形成装置１にスキャナー装置３を後付けで追加することできる。よって、画像形成装置１を購入する際のユーザーの初期費用を抑えつつ、使用環境の変化に応じて複写機能を後から追加することができる。
【００５１】
《実施形態２》
図８は、実施形態２を示す図４相当図である。この実施形態では、スキャナー装置３の移動形態が直線移動ではなく回転移動である点で上記実施形態１とは異なる。尚、以下の実施形態の説明において実施形態１と同じ部分については同じ符号を付して、その詳細な説明を省略する。
【００５２】
すなわち、本実施形態では、スキャナー装置３は、スキャナーハウジング３１を画像形成装置本体２の上面２ａに装着した後、該上面２ａの隅部（本実施形態では後側且つ左側の隅部）を支点に回動可能に構成されている。
【００５３】
図９を参照して、画像形成装置本体２に対するスキャナー装置３の装着構造の具体例を説明する。この図の例では、画像形成装置本体２の上壁には、回転支持部材１３が嵌合する嵌合孔２ｅが形成されている。
【００５４】
回転支持部材１３は、円環部１３ａと、円環部１３ａの周面の厚さ方向の中央部から径方向外側に突出する係合突部１３ｂとを有している。
【００５５】
嵌合孔２ｅは、円環部１３ａを回転自在に受け入れる円孔２ｆと、円孔２ｆの内周面に全周に亘って形成された係合溝２ｇとを有している。回転支持部材１３は、係合突部１３ｂが係合溝２ｇに係合することで嵌合孔２ｅに脱落不能に保持されている。
【００５６】
スキャナー装置３は、回転支持部材１３の円環部１３ａの上面に固定部材１４を介して固定される。固定部材１４としては、実施形態１と同様に例えば両面テープやマグネットが使用される。そして、スキャナー装置３は、回転支持部材１３の軸線Ａを回転中心として、画像形成装置本体２の上面２ａの左側端部と後側端部との間で回転移動可能に構成されている。換言すると、スキャナー装置３は、平面視において、画像形成装置本体２の上面における給紙トレイ４２側の端縁に平行な位置（図示省略）と、該端縁に直交する位置（図８の位置）との間で回転可能に構成されている。
【００５７】
スキャナー装置３の下面には、配線１１の通信用コネクタ１１ａに嵌合する差込み口（図示省略）が設けられている。この差込み口の位置は、平面視で回転支持部材１３の軸線Ａ上に位置している。そして、配線１１の通信用コネクタ１１ａは、回転支持部材１３の内側の孔部１３ｃを通じて差込み口に接続されている（図９参照）。
【００５８】
［実施形態２の作用効果］
以上説明したように本実施形態では、スキャナー装置３は、画像形成装置本体２の上面２ａに着脱可能に装着され、画像形成装置本体２の上面２ａは、スキャナー装置３の使用時には原稿をガイドするガイド面として機能する。
【００５９】
この構成によれば、印刷機能のみを有する画像形成装置１において、スキャナー装置３を後付けで追加装着するだけで複写機能を追加することができる。よって、新たなに複写機を購入する場合に比べてコストを低減することができる。
【００６０】
また、スキャナー装置３は、画像形成装置本体２の上面２ａに装着された状態で、該上面２ａに垂直な軸線Ａ回りに回転可能に構成されている。
【００６１】
この構成によれば、例えばスキャナー装置３が周辺部材（ＯＡ機器や棚等）と干渉する虞がある場合には、スキャナー装置３を回転移動させることで、干渉を避けて画像形成装置本体２を所望の位置に配置することができる。よって、実施形態１と同様の作用効果を得ることができる。
【００６２】
また、本実施形態では、画像形成装置本体２のコントローラー１０から延びる配線１１を、回転支持部材１３の円環部１３ａの内側（孔部１３ｃ）を通してスキャナー装置３に接続するようにしている。したがって、実施形態１のように、画像形成装置本体２の上面に長孔状の開口部２ｈを形成して配線１１をスキャナー装置３の移動に追従させる必要がない。よって、画像形成装置本体２の密閉性を確保して粉塵等による画像形成装置１の故障を防止することができる。
【００６３】
《実施形態３》
図１０は、実施形態３を示す図１相当図である。実施形態３の説明において、実施形態１と同じ構成要素には、実施形態１で使用した各構成要素の符号に１００を加算して示す。本実施形態３では、画像形成装置本体１０２に対するスキャナー装置１０３の装着構成が実施形態１及び２とは異なっている。
【００６４】
画像形成装置本体１０２は、手差し給紙部１０４と、画像形成部１０５と、定着部１０６と、排紙部１０７とを備えている。画像形成装置本体１０２は、該本体１０２内の搬送路１００Ｌに沿って用紙を搬送しながら、所定の画像データに基づいて用紙に画像を形成するように構成されている。この画像データは、スキャナー装置１０３によって読取った原稿画像データ又はパソコン等の不図示の端末等から送信されるデータにより構成される。
【００６５】
手差し給紙部１０４は、画像形成装置本体１０２の左側面に開口する用紙供給口１０４ａと、案内トレイ部１０４ｂと、案内トレイ部１０４ｂの右側端部（用紙搬送方向の下流側端部）に隣接して設けられた給紙ローラー対１０４ｃとを有している。給紙ローラー対１０４ｃは、用紙供給口１０４ａから案内トレイ部１０４ｂに手差し供給された用紙を挟持搬送して画像形成部１０５に供給する。
【００６６】
画像形成部１０５は、給紙ローラー対１０４ｃの右側に設けられている。画像形成部１０５は、画像形成装置本体１０２内に回転可能に設けられた像担持体である感光体ドラム１５１を有している。感光体ドラム１５１の周囲には、帯電器１５２と、現像部１５３と、転写ローラー１５４とが配置されている。また、感光体ドラム１５１の上方には光走査装置１５６が配置されている。光走査装置１５６は、不図示の光源から出射されたレーザー光を偏向走査させるポリゴンミラー１５６ａと、偏向走査された光ビームを感光体ドラム１５１の表面に向けて反射する折返しミラー１５６ｂとを有している。そして、画像形成部１０５は、後述するように手差し給紙部１０４から供給された用紙に画像を形成する。
【００６７】
定着部１０６は、画像形成部１０５の右側に配置されている。定着部１０６は、互いに圧接されて回転する定着ローラー１６１及び加圧ローラー１６２を有している。そして、定着部１０６は、画像形成部５で用紙に転写されたトナー像を当該用紙に定着させるように構成されている。
【００６８】
排紙部１０７は、画像形成装置本体１０２の右側面に形成された用紙排出口１０７ａと、定着部１０６を通過した用紙を用紙排出口１０７ａに導く案内面１０７ｂとを有している。
【００６９】
上記画像形成装置１０１における画像形成動作は、実施形態１における画像形成装置１の動作と同様であるため詳細は省略する。  
【００７０】
［スキャナー装置の構成］
図１０〜図１２に示すように、スキャナー装置１０３は画像形成装置本体１０２の上面のスキャナー装着面部１０２ａに固定されている。スキャナー装置１０３の固定には例えば螺子部材等が使用される。スキャナー装置１０３は、画像形成装置本体１０２内に設けられたコントローラー１０にＵＳＢケーブル（図示省略）を介して接続されている。このＵＳＢケーブルは、コントローラー１０から画像形成装置本体２内の壁面に沿って延びた後、スキャナー装着面部１０２ａに形成された不図示の貫通孔から外部に引き出し可能になっている。貫通孔から引出したＵＳＢケーブルの先端には通信用コネクタが設けられている。この通信用コネクタは、スキャナー装置１０３の下面に設けられた差込み口に着脱自在に接続される。そして、スキャナー装置１０３は、差込み口に接続されたＵＳＢケーブルを介して画像形成装置本体１０２内のコントローラー１０に原稿画像データを送信する。尚、通信用コネクタの規格はＵＳＢ規格に限ったものではない。
【００７１】
図１１及び図１２に示すように、スキャナー装置１０３は、スキャナー装着面部１０２ａの長手方向（前後方向）の全体に亘って延びる矩形箱状のスキャナーハウジング１３１を有している。スキャナーハウジング１３１の左側面には原稿供給口１３１ａが形成され、右側面には原稿排出口１３１ｂが形成されている。原稿供給口１３１ａ及び原稿排出口１３１ｂは、前後方向に延びて原稿を受け入れ可能な矩形状のスリット開口からなる。
【００７２】
図１３は、スキャナーハウジング１３１の内部構造を示している。スキャナーハウジング１３１内の内部構造は、実施形態１で説明したスキャナーハウジング３１の内部構造と同様であるため詳細な説明を省略する。
【００７３】
［画像形成装置本体の上面構成］
画像形成装置本体１０２の上面は、スキャナー装置１０３が装着されるスキャナー装着面部１０２ａと、スキャナー装置１０３から排出された画像読取り後の原稿を受け止める原稿排出面部１０２ｂとを有している。スキャナー装着面部１０２ａは、画像形成装置本体１０２の上面の左側端部を帯状に凹ませた凹部の底面により構成されている。スキャナー装着面部１０２ａは、画像形成装置本体１０２の前後方向の全体亘って水平に延びている。
【００７４】
原稿排出面部１０２ｂは、画像形成装置本体１０２の上面におけるスキャナー装着面部１０２ａ以外の部分であって矩形状の水平面からなる。スキャナー装着面部１０２ａと原稿排出面部１０２ｂとは、上記凹部の側壁面であって前後方向に延びる鉛直面１０２ｃにより接続されている。上記スキャナー装着面部１０２ａは、原稿排出面部１０２ｂよりも所定量（上記凹部の深さ分）だけ低い位置に形成されている。
【００７５】
この所定量は、原稿排出口１３１ｂの下端縁が、原稿排出面部１０２ｂの高さ以上であって該原稿排出面部１０２ｂと同等の高さに位置するように設定することが好ましい。ここで、同等とは、高さが同じであるか又は高さの差が僅か（例えば５ｍｍ以下）である場合を意味する。本実施形態では一例として、原稿排出口３１ｂの下端縁の高さが原稿排出面部１０２ｂの高さと同じになるように上記所定量（凹部の深さ）が設定されている（図１３参照）。
【００７６】
［実施形態３の作用効果］
以上説明したように本実施形態では、スキャナー装置１０３は、画像形成装置本体１０２の上面（スキャナー装着面部１０２ａ）に着脱可能に装着され、画像形成装置本体１０２の上面（スキャナー装着面部１０２ａ）は、スキャナー装置１０３の使用時には原稿をガイドするガイド面として機能する。
【００７７】
この構成によれば、印刷機能のみを有する画像形成装置１０１において、スキャナー装置１０３を後付けで追加装着するだけで複写機能を追加することができる。よって、新たなに複写機を購入する場合に比べてコストを低減することができる。
【００７８】
また、スキャナー装置１０３は、スキャナーハウジング１３１の左側面及び右側面（互いに対向する面）にそれぞれ原稿供給口１３１ａ及び原稿排出口１３１ｂを有していて、原稿供給口１３１ａから供給される原稿の画像を読取って原稿排出口１３１ｂから排出するように構成されている。スキャナー装置１０３は、画像形成装置本体１０２に装着可能であり、画像形成装置本体１０２の上面は、スキャナー装置１０３が装着されるスキャナー装着面部１０２ａと、スキャナー装置１０３の原稿排出口１３１ｂから排出された原稿が排出される原稿排出面部１０２ｂとを有している。スキャナー装着面部１０２ａは原稿排出面部１０２ｂよりも所定量だけ低い位置に形成されている。
【００７９】
この構成によれば、スキャナー装置１０３を画像形成装置本体１０２に装着した場合に、画像形成装置本体１０２の上面の一部（原稿排出面部１０２ｂ）を利用して画像読取り後の原稿を受け止めることができる。よって、原稿排出トレイを別途設ける必要がないので製品コストを低減することができる。
【００８０】
また、スキャナー装着面部１０２ａは原稿排出面部１０２ｂよりも低い位置に形成されているので、原稿排出面部１０２ｂと原稿排出口１３１ｂとを高さ方向にて極力近付けることができる。これにより、原稿排出口１３１ｂから排出される原稿をスムーズに原稿排出面部１０２ｂに導くことができる。延いては、原稿排出面部１０２ｂ上における原稿の整列性を向上させることができる。  
【００８１】
また、本実施形態では、スキャナー装着面部１０２ａと原稿排出面部１０２ｂとの高さの差（上記所定量）は、スキャナー装置１０３の原稿排出口１３１ｂの下端位置が原稿排出面部１０２ｂの高さ以上であって該原稿排出面部１０２ｂと同等の高さに位置するように設定されている。
【００８２】
この構成によれば、原稿排出口１３１ｂから排出された原稿を原稿排出面部１０２ｂに向けてより一層スムーズに導くことができる。よって、原稿排出面部１０２ｂ上における原稿の整列性を可及的に向上させることができる。
【００８３】
また、本実施形態では、スキャナー装置１０３は画像形成装置本体１０２に対してオプション装置として装着可能になっている。
これによれば、例えば印刷機能のみを有する画像形成装置１０１にスキャナー装置１０３を後付けで追加することできる。よって、ユーザーが画像形成装置１０１を購入する際の初期費用を抑えつつ、使用環境の変化に応じて複写機能を後から追加することができる。
【００８４】
また、本実施形態では、画像形成装置本体１０２にオプション装着されるスキャナー装置１０３は、原稿搬送機構（給紙ローラー対１３３及び排紙ローラー対１３４）を内蔵している。これによれば、画像形成装置本体１０２に原稿搬送機構を設ける必要がないので、画像形成装置本体１０２の小型化及び低コスト化を図ることができる。
【００８５】
《実施形態４》
図１４は実施形態４を示している。本実施形態では、画像形成装置本体１０２におけるスキャナー装着面部１０２ａの位置が上記実施形態３とは異なっている。尚、図１４において実施形態３と同じ構成部については同じ符号を付して詳細な説明を省略する。
【００８６】
すなわち、本実施形態では、スキャナー装置１０３が装着されるスキャナー装着面部１０２ａは、画像形成装置本体１０２の上面の右側端部に形成されている。このスキャナー装着面部１０２ａは、実施形態３と同様に、画像形成装置本体１０２の上面の一部（本実施形態では右側端部）を帯状に凹ませた凹部の底面により構成されている。スキャナー装着面部１０２ａは、画像形成装置本体１０２の前後方向の全体に亘って水平に延びている。
【００８７】
画像形成装置本体１０２の上面におけるスキャナー装着面部１０２ａ以外の部分は、スキャナー装置１０３に供給する原稿が載置される原稿給紙面部１０２ｄとされている。原稿給紙面部１０２ｄとスキャナー装着面部１０２ａとは、上記凹部の側壁面であって前後方向に延びる鉛直面１０２ｃにより連結されている。
【００８８】
上記スキャナー装着面部１０２ａは、原稿給紙面部１０２ｄよりも所定量（上記凹部の深さ分）だけ低い位置に形成されている。
【００８９】
この所定量は、原稿給紙面部１０２ｄの高さが原稿供給口１３１ａの上端縁の高さ以下で且つ下端縁の高さ以上になるように設定されている。本実施形態では一例として、原稿供給口１３１ａの下端縁の高さが原稿給紙面部１０２ｄの高さと同じになるように上記所定量（凹部の深さ）が設定されている（図１４参照）。
【００９０】
画像形成装置本体１０２の右側面におけるスキャナー装着面部１０２ａの下側近傍には前後方向に延びる挿入開口１０２ｇが形成されている。挿入開口１０２ｇには、原稿排出トレイ１０８が引出し可能に挿入されている。
【００９１】
原稿排出トレイ１０８は、矩形板状のトレイ本体１０８ａを有している。トレイ本体１０８ａは支持板１０２ｅにより下方から支持されている。支持板１０２ｅは、画像形成装置本体１０２の右側壁における挿入開口１０２ｇの下端付近から装置内側に突出するように形成されている。トレイ本体１０８ａは、この支持板１０２ｅの上面に支持された状態で図１４の左右方向にスライド可能に構成されている。トレイ本体１０８ａの右側端縁には、上側に僅かに突出してユーザーが指を引っ掛けることが可能な指掛部１０８ｂが設けられている。指掛部１０８ｂは画像形成装置本体１０２の挿入開口１０２ｇよりも外側に位置している。トレイ本体１０８ａの左側端部にはストッパー部１０８ｃが設けられている。ストッパー部１０８ｃは、トレイ本体１０８ａの上面から上側に僅かに突出している。画像形成装置本体１０２の挿入開口１０２ｇ付近には、ストッパー部１０８ｃに当接することでトレイ本体１０８ａの脱落を防止する突起部（図示省略）が設けられている。
【００９２】
［実施形態４の作用効果］
以上説明したように、本実施形態４では、スキャナー装置１０３は、画像形成装置本体１０２の上面（スキャナー装着面部１０２ａ）に着脱可能に装着され、画像形成装置本体１０２の上面（スキャナー装着面部１０２ａ）は、スキャナー装置１０３の使用時には原稿をガイドするガイド面として機能する。
【００９３】
この構成によれば、印刷機能のみを有する画像形成装置１０１において、スキャナー装置１０３を後付けで追加装着するだけで複写機能を追加することができる。よって、新たなに複写機を購入する場合に比べてコストを低減することができる。
【００９４】
また、画像形成装置本体１０２の上面は、スキャナー装置１０３が装着されるスキャナー装着面部１０２ａと、スキャナー装置１０３の原稿供給口１３１ａに供給する原稿が載置される原稿給紙面部１０２ｄとを有し、スキャナー装着面部１０２ａは原稿給紙面部１０２ｄよりも所定量だけ低い位置に形成されている。そして、この所定量は、原稿給紙面部１０２ｄの高さが原稿供給口１３１ａの上端縁の高さ以下で且つ下端縁の高さ以上になるように設定されている。
【００９５】
この構成によれば、画像形成装置本体１０２の上面の一部（原稿給紙面部１０２ｄ）を利用して読取り用の原稿をセットすることができる。よって、原稿給紙トレイを別途設ける必要がないので製品コストを低減することができる。
【００９６】
また、ユーザーは原稿給紙面部１０２ｄにセットした原稿を左側から右側にスライドさせることで、原稿の先端を原稿供給口１３１ａにスムーズに挿入することができる。よって、原稿供給口１３１ａに原稿を挿入する際に原稿が折れ曲がったり破れたりすることを防止することができる。
【００９７】
また、本実施形態の構成によれば、画像形成装置本体１０２の右側面に挿入開口１０２ｇが形成され、この挿入開口１０２ｇには原稿排出トレイ１０８が引出し可能に挿入されている。
【００９８】
したがって、スキャナー装置１０３の原稿排出口１３１ｂから排出された原稿を、挿入開口１０２ｇから引き出した原稿排出トレイ１０８によって受け止めることができる。
【００９９】
《他の実施形態》
本発明は、上記各実施形態について、以下のような構成としてもよい。
【０１００】
上記実施形態１及び２では、スライダー８をレール溝２ｂ内で移動させるようにしているが、これに限ったものではなく、アキュライド・スライドレーや、レール及びコロを組み合わせた構成を採用してもよい。
【０１０１】
また、上記各実施形態では、スキャナー装置３，１０３に内蔵された撮像センサーはＣＩＳセンサー３２，１３２により構成されているが、これに限ったものではなく、例えばＣＣＤセンサー等であってもよい。
【０１０２】
また、上記各実施形態では、スキャナー装置３，１０３による原稿の給排紙方向と、画像形成装置本体２，１０２による用紙の給排紙方向とが平面視で一致する例を説明したが、これに限ったものではなく、例えば両方向が互いに直交していてもよい。
【０１０３】
上記実施形態４では、原稿排出トレイ１０８は画像形成装置本体２内から引出すことにより利用可能になっているが、これに限ったものではなく、例えば画像形成装置本体２の右側面の上端部に揺動可能に設けられていてもよい。
【０１０４】
また、上記実施形態３及び４では、スキャナー装着面部１０２ａは、画像形成装置本体１０２の上面の端部に形成されているが、これに限ったものではなく、例えば左右方向の中央部や前後方向の中央部に形成されていてもよい。
【産業上の利用可能性】
【０１０５】
以上説明したように、本発明は、画像形成装置について有用であり、特に、印刷機能を
有する画像形成装置に複写機能をオプションで追加する場合に有用である。
【符号の説明】
【０１０６】
１        ：画像形成装置
２        ：画像形成装置本体
２ａ      ：上面
３        ：スキャナー装置
３１      ：スキャナーハウジング
３１ａ    ：原稿供給口
３１ｂ    ：原稿排出口
４１      ：用紙供給口
４２      ：給紙トレイ
１０１    ：画像形成装置
１０２    ：画像形成装置本体
１０２    ：本体
１０２ａ  ：スキャナー装着面部
１０２ｂ  ：原稿排出面部
１０２ｄ  ：原稿給紙面部
１０３    ：スキャナー装置
１０４ａ  ：用紙供給口
１３１ａ  ：原稿供給口
１３１ｂ  ：原稿排出口
【図１】
2020166261.tif 000003
【図２】
2020166261.tif 000004
【図３】
2020166261.tif 000005
【図４】
2020166261.tif 000006
【図５Ａ】
2020166261.tif 000007
【図５Ｂ】
2020166261.tif 000008
【図６】
2020166261.tif 000009
【図７】
2020166261.tif 000010
【図８】
2020166261.tif 000011
【図９】
2020166261.tif 000012
【図１０】
2020166261.tif 000013
【図１１】
2020166261.tif 000014
【図１２】
2020166261.tif 000015
【図１３】
2020166261.tif 000016
【図１４】
2020166261.tif 000017